【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
装置によって、２つまたはそれ以上のブロック確認応答（ＢＡ）情報フィールドを備えるＢＡフレームを生成すること、ここにおいて、前記ＢＡフレーム中に含まれる前記２つまたはそれ以上のＢＡ情報フィールドの各々が、トラフィック識別子（ＴＩＤ）値フィールドとＢＡビットマップフィールドとを備える、と、
開始シーケンス制御フィールド中のフィールドの値に基づいて前記ＢＡフレーム中に含まれる前記ＢＡビットマップフィールドのサイズを決定することと、
前記ＢＡフレーム中の前記２つまたはそれ以上のＢＡ情報フィールドの各々のフィールド中に、前記ＢＡビットマップフィールドの前記決定されたサイズの指示を挿入することと、
前記ＢＡフレームを送信することと
を備える、方法。
【請求項２】
前記指示が、前記ＢＡフレームのフィールド中の値を備える、請求項１に記載の方法。
【請求項３】
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、請求項１に記載の方法。
【請求項４】
前記２つまたはそれ以上のＢＡ情報フィールドのうちの少なくとも１つが、トラフィック識別子（ＴＩＤ）ごとフィールドを含み、前記指示が、前記ＴＩＤごとフィールド中の値を備える、請求項１に記載の方法。
【請求項５】
前記ＢＡフレームが、ＢＡ制御フィールドを備え、前記指示が、前記ＢＡ制御フィールド中の値である、請求項１に記載の方法。
【請求項６】
前記ＢＡ制御フィールドが、予約済みフィールドを備え、前記指示が、前記予約済みフィールド中の値である、請求項５に記載の方法。
【請求項７】
前記ＢＡフレームが、持続時間／識別子（ＩＤ）フィールドを備え、前記指示が、前記持続時間／ＩＤフィールド中の値を備える、請求項１に記載の方法。
【請求項８】
前記ＢＡビットマップフィールドの前記サイズを決定することが、前記２つまたはそれ以上のＢＡ情報フィールドの各々中の前記ＢＡビットマップフィールドの各々のためのサイズを決定することを備える、請求項１に記載の方法。
【請求項９】
前記２つまたはそれ以上のＢＡ情報フィールドの各々が、前記開始シーケンス制御フィールドを備える、請求項８に記載の方法。
【請求項１０】
前記２つまたはそれ以上のＢＡ情報フィールドが、
第１の開始シーケンス番号をもつ第１のＢＡ情報フィールドと、
第２の開始シーケンス番号をもつ第２のＢＡ情報フィールドと
を備え、前記ＢＡビットマップフィールドの前記サイズを決定することが、前記第１の開始シーケンス番号と前記第２の開始シーケンス番号との間のビットの値を定義することを備える、
請求項９に記載の方法。
【請求項１１】
前記トラフィック識別子（ＴＩＤ）値フィールドが、前記２つまたはそれ以上のＢＡ情報フィールドの各々について同じＴＩＤ値を示す、請求項１に記載の方法。
【請求項１２】
前記ＢＡビットマップフィールドのビットが、ある数の、受信されたメッセージに確認応答する、請求項１に記載の方法。
【請求項１３】
前記ＢＡビットマップフィールドの前記サイズを決定することが、受信されたメッセージの前記数に基づく、請求項１２に記載の方法。
【請求項１４】
前記ＢＡフレームのフィールド中に、受信されたメッセージの前記数の指示を挿入することをさらに備える、請求項１２に記載の方法。
【請求項１５】
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、前記数の前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、請求項１４に記載の方法。
【請求項１６】
前記ＢＡビットマップフィールドの前記サイズを決定することが、データフレームの送信機と前記データフレームの受信機との間のネゴシエーションに基づく、請求項１に記載の方法。
【請求項１７】
前記ネゴシエーションが、アクセスポイントと局との間のアドブロック確認応答（ＡＤＤＢＡ）ネゴシエーションを備える、請求項１６に記載の方法。
【請求項１８】
前記ＢＡビットマップフィールドの前記サイズを決定することが、
アグリゲート媒体アクセス制御（ＭＡＣ）データユニット（Ａ−ＭＰＤＵ）デリミタフィールドを備えるフレームを受信すること、前記Ａ−ＭＰＤＵデリミタフィールドが、前記ＢＡビットマップフィールドの要求されたサイズを示す、と、
前記要求されたサイズに基づいて前記ＢＡビットマップフィールドの前記サイズを決定することと
を備える、請求項１に記載の方法。
【請求項１９】
前記ＢＡビットマップフィールドの前記サイズを決定することが、
メディアアクセス制御プロトコルデータユニット（ＭＰＤＵ）省電力マルチポール（ＰＳＭＰ）確認応答（ＡＣＫ）ポリシーフィールドを備えるフレームを受信することと、
前記ＰＳＭＰ  ＡＣＫポリシーフィールドの値に基づいて前記ＢＡビットマップフィールドの前記サイズを決定することと
を備える、請求項１に記載の方法。
【請求項２０】
前記ＢＡビットマップフィールドの前記サイズを決定することが、
媒体アクセス制御（ＭＡＣ）ヘッダ部分を備えるフレームを受信すること、前記ＭＡＣヘッダ部分が、前記ＢＡビットマップフィールドの要求されたサイズを示すフィールドを備える、と、
前記要求されたサイズに基づいて前記ＢＡビットマップフィールドの前記サイズを決定することと
を備える、請求項１に記載の方法。
【請求項２１】
前記要求されたサイズが、受信された前記フレームのデータレートに基づく、請求項２０に記載の方法。
【請求項２２】
２つまたはそれ以上のブロック確認応答（ＢＡ）情報フィールドを備えるＢＡフレームを生成すること、ここにおいて、前記ＢＡフレーム中に含まれる前記２つまたはそれ以上のＢＡ情報フィールドの各々が、トラフィック識別子（ＴＩＤ）値フィールドとＢＡビットマップフィールドとを備える、と、
開始シーケンス制御フィールド中のフィールドの値に基づいて前記ＢＡフレーム中に含まれる前記ＢＡビットマップフィールドのサイズを決定することと、
前記ＢＡフレーム中の前記２つまたはそれ以上のＢＡ情報フィールドの各々のフィールド中に、前記ＢＡビットマップフィールドの前記決定されたサイズの指示を挿入することと、
前記ＢＡフレームを送信することと
を行うように構成されたプロセッサ
を備える、ワイヤレス通信のための装置。
【請求項２３】
前記指示が前記ＢＡフレームのフィールド中の値を備える、請求項２２に記載の装置。
【請求項２４】
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、請求項２２に記載の装置。
【請求項２５】
前記２つまたはそれ以上のＢＡ情報フィールドのうちの少なくとも１つが、トラフィック識別子（ＴＩＤ）ごとフィールドを含み、前記指示が、前記ＴＩＤごとフィールド中の値を備える、請求項２２に記載の装置。
【請求項２６】
前記ＢＡフレームが、ＢＡ制御フィールドを備え、前記指示が、前記ＢＡ制御フィールド中の値である、請求項２２に記載の装置。
【請求項２７】
前記ＢＡ制御フィールドが、予約済みフィールドを備え、前記指示が、前記予約済みフィールド中の値である、請求項２６に記載の装置。
【請求項２８】
前記ＢＡフレームが、持続時間／識別子（ＩＤ）フィールドを備え、前記指示が、前記持続時間／ＩＤフィールド中の値を備える、請求項２２に記載の装置。
【請求項２９】
前記ＢＡビットマップフィールドの前記サイズを決定することが、前記２つまたはそれ以上のＢＡ情報フィールドの各々中の前記ＢＡビットマップフィールドの各々のためのサイズを決定することを備える、請求項２２に記載の装置。
【請求項３０】
前記２つまたはそれ以上のＢＡ情報フィールドの各々が、前記開始シーケンス制御フィールドを備える、請求項２９に記載の装置。
【請求項３１】
前記２つまたはそれ以上のＢＡ情報フィールドが、
第１の開始シーケンス番号をもつ第１のＢＡ情報フィールドと、
第２の開始シーケンス番号をもつ第２のＢＡ情報フィールドと
を備え、前記ＢＡビットマップフィールドの前記サイズを決定することが、前記第１の開始シーケンス番号と前記第２の開始シーケンス番号との間のビットの値を定義することを備える、
請求項３０に記載の装置。
【請求項３２】
前記トラフィック識別子（ＴＩＤ）値フィールドが、前記２つまたはそれ以上のＢＡ情報フィールドの各々について同じＴＩＤ値を示す、請求項２２に記載の装置。
【請求項３３】
前記ＢＡビットマップフィールドのビットが、ある数の、受信されたメッセージに確認応答する、請求項２２に記載の装置。
【請求項３４】
前記プロセッサが、受信されたメッセージの前記数に基づいて、前記ＢＡビットマップフィールドの前記サイズを決定する、請求項３３に記載の装置。
【請求項３５】
前記プロセッサが、前記ＢＡフレームのフィールド中に、受信されたメッセージの前記数の指示を挿入するようにさらに構成された、請求項３３に記載の装置。
【請求項３６】
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、前記数の前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、請求項３５に記載の装置。
【請求項３７】
前記プロセッサが、データフレームの送信機と前記データフレームの受信機との間のネゴシエーションに基づいて、前記ＢＡビットマップフィールドの前記サイズを決定する、請求項２２に記載の装置。
【請求項３８】
前記ネゴシエーションが、アクセスポイントと局との間のアドブロック確認応答（ＡＤＤＢＡ）ネゴシエーションを備える、請求項３７に記載の装置。
【請求項３９】
前記プロセッサは、アグリゲート媒体アクセス制御（ＭＡＣ）データユニット（Ａ−ＭＰＤＵ）デリミタフィールドを備える受信されたフレームに基づいて、前記ＢＡビットマップフィールドの前記サイズを決定し、前記Ａ−ＭＰＤＵデリミタフィールドが、前記ＢＡビットマップフィールドの要求されたサイズを示す、請求項２２に記載の装置。
【請求項４０】
前記プロセッサは、メディアアクセス制御プロトコルデータユニット（ＭＰＤＵ）省電力マルチポール（ＰＳＭＰ）確認応答（ＡＣＫ）ポリシーフィールドを備える受信されたフレームに基づいて、前記ＢＡビットマップフィールドの前記サイズを決定する、請求項２２の記載の装置。
【請求項４１】
前記プロセッサは、媒体アクセス制御（ＭＡＣ）ヘッダ部分を備える受信されたフレームに基づいて、前記ＢＡビットマップフィールドの前記サイズを決定し、前記ＭＡＣヘッダ部分が、前記ＢＡビットマップフィールドの要求されたサイズを示すフィールドを備える、請求項２２に記載の装置。
【請求項４２】
前記要求されたサイズが、前記受信されたフレームのデータレートに基づく、請求項４１に記載の装置。
【請求項４３】
実行されたとき、装置に方法を実施させるコードを備える非一時的コンピュータ可読媒体であって、前記方法が、
装置によって、２つまたはそれ以上のブロック確認応答（ＢＡ）情報フィールドを備えるＢＡフレームを生成すること、ここにおいて、前記ＢＡフレーム中に含まれる前記２つまたはそれ以上のＢＡ情報フィールドの各々が、トラフィック識別子（ＴＩＤ）値フィールドとＢＡビットマップフィールドとを備える、と、
開始シーケンス制御フィールド中のフィールドの値に基づいて前記ＢＡフレーム中に含まれる前記ＢＡビットマップフィールドのサイズを決定することと、
前記ＢＡフレーム中の前記２つまたはそれ以上のＢＡ情報フィールドの各々のフィールド中に、前記ＢＡビットマップフィールドの前記決定されたサイズの指示を挿入することと、
前記ＢＡフレームを送信することと
を備える、非一時的コンピュータ可読媒体。
【請求項４４】
ワイヤレス通信のための装置であって、
装置によって、２つまたはそれ以上のブロック確認応答（ＢＡ）情報フィールドを備えるＢＡフレームを生成するための手段、ここにおいて、前記ＢＡフレーム中に含まれる前記２つまたはそれ以上のＢＡ情報フィールドの各々が、トラフィック識別子（ＴＩＤ）値フィールドとＢＡビットマップフィールドとを備える、と、
開始シーケンス制御フィールド中のフィールドの値に基づいて前記ＢＡフレーム中に含まれる前記ＢＡビットマップフィールドのサイズを決定するための手段と、
前記ＢＡフレーム中の前記２つまたはそれ以上のＢＡ情報フィールドの各々のフィールド中に、前記ＢＡビットマップフィールドの前記決定されたサイズの指示を挿入するための手段と、
前記ＢＡフレームを送信することと
を備える、装置。
【手続補正２】
【補正対象書類名】明細書
【補正対象項目名】００６２
【補正方法】変更
【補正の内容】
【００６２】
[0068]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
ワイヤレス通信の方法であって、
装置によって、ブロック確認応答（ＢＡ）ビットマップフィールドを備えるＢＡフレームを生成することと、
前記ＢＡビットマップフィールドのサイズを決定することと、
前記ＢＡビットマップフィールドの前記決定されたサイズの指示を挿入することと
を備える、方法。
［Ｃ２］
前記指示が前記ＢＡフレームのフィールド中の値を備える、［Ｃ１］に記載の方法。
［Ｃ３］
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、ここにおいて、前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、［Ｃ１］に記載の方法。
［Ｃ４］
前記ＢＡフレームがＢＡ情報フィールドを備え、ここにおいて、前記ＢＡ情報フィールドがトラフィック識別子（ＴＩＤ）ごとフィールドを含み、ここにおいて、前記指示が前記ＴＩＤごとフィールド中の値を備える、［Ｃ１］に記載の方法。
［Ｃ５］
前記ＢＡフレームがＢＡ制御フィールドを備え、ここにおいて、前記指示が前記ＢＡ制御フィールド中の値である、［Ｃ１］に記載の方法。
［Ｃ６］
前記ＢＡ制御フィールドが予約済みフィールドを備え、ここにおいて、前記指示が前記予約済みフィールド中の値である、［Ｃ５］に記載の方法。
［Ｃ７］
前記ＢＡフレームが持続時間／識別子（ＩＤ）フィールドを備え、ここにおいて、前記指示が前記持続時間／ＩＤフィールド中の値を備える、［Ｃ１］に記載の方法。
［Ｃ８］
前記ＢＡフレームが２つまたはそれ以上のＢＡ情報フィールドを備え、前記２つまたはそれ以上のＢＡ情報フィールドが各々ＢＡビットマップフィールドを含み、ここにおいて、前記ＢＡビットマップフィールドの前記サイズを決定することが、前記２つまたはそれ以上のＢＡ情報フィールドの各々中の前記ＢＡビットマップフィールドの各々のためのサイズを決定することを備える、［Ｃ１］に記載の方法。
［Ｃ９］
前記２つまたはそれ以上のＢＡ情報フィールドの各々がトラフィック識別子（ＴＩＤ）値フィールドを備え、前記トラフィック識別子（ＴＩＤ）値フィールドが前記２つまたはそれ以上のＢＡ情報フィールドの各々について同じＴＩＤ値を示す、［Ｃ８］に記載の方法。
［Ｃ１０］
前記２つまたはそれ以上のＢＡ情報フィールドの各々が開始シーケンス番号フィールドを備え、ここにおいて、前記ＢＡビットマップフィールドの前記サイズを決定することが、前記２つまたはそれ以上のＢＡ情報フィールドの各々中の前記開始シーケンス番号フィールドに基づく、［Ｃ８］に記載の方法。
［Ｃ１１］
前記２つまたはそれ以上のＢＡ情報フィールドが、
第１の開始シーケンス番号をもつ第１のＢＡ情報フィールドと、
第２の開始シーケンス番号をもつ第２のＢＡ情報フィールドと
を備え、ここにおいて、前記ＢＡビットマップフィールドの前記サイズを決定することが、前記第１の開始シーケンス番号と前記第２の開始シーケンス番号との間のビットの値を定義することを備える、
［Ｃ１０］に記載の方法。
［Ｃ１２］
前記ＢＡビットマップフィールドのビットが、ある数の、受信されたメッセージに確認応答する、［Ｃ１］に記載の方法。
［Ｃ１３］
前記ＢＡビットマップフィールドの前記サイズを決定することが、受信されたメッセージの前記数に基づく、［Ｃ１２］に記載の方法。
［Ｃ１４］
前記ＢＡフレームのフィールド中に、受信されたメッセージの前記数の指示を挿入することをさらに備える、［Ｃ１２］に記載の方法。
［Ｃ１５］
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、ここにおいて、前記数の前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、［Ｃ１４］に記載の方法。
［Ｃ１６］
前記ＢＡビットマップフィールドの前記サイズを決定することが、データフレームの送信機と前記データフレームの受信機との間のネゴシエーションに基づく、［Ｃ１］に記載の方法。
［Ｃ１７］
前記ネゴシエーションが、アクセスポイントと局との間のアドブロック確認応答（ＡＤＤＢＡ）ネゴシエーションを備える、［Ｃ１６］に記載の方法。
［Ｃ１８］
前記ＢＡビットマップフィールドの前記サイズを決定することが、
アグリゲート媒体アクセス制御（ＭＡＣ）データユニット（Ａ−ＭＰＤＵ）デリミタフィールドを備えるフレームを受信することと、前記Ａ−ＭＰＤＵデリミタフィールドが、前記ＢＡビットマップフィールドの要求されたサイズを示す、
前記要求されたサイズに基づいて前記ＢＡビットマップフィールドの前記サイズを決定することと
を備える、［Ｃ１］に記載の方法。
［Ｃ１９］
前記ＢＡビットマップフィールドの前記サイズを決定することが、
メディアアクセス制御プロトコルデータユニット（ＭＰＤＵ）省電力マルチポール（ＰＳＭＰ）確認応答（ＡＣＫ）ポリシーフィールドを備えるフレームを受信することと、
前記ＰＳＭＰ  ＡＣＫポリシーフィールドの値に基づいて前記ＢＡビットマップフィールドの前記サイズを決定することと
を備える、［Ｃ１］に記載の方法。
［Ｃ２０］
前記ＢＡビットマップフィールドの前記サイズを決定することが、
媒体アクセス制御（ＭＡＣ）ヘッダ部分を備えるフレームを受信することと、前記ＭＡＣヘッダ部分が前記ＢＡビットマップフィールドの要求されたサイズを示すフィールドを備える、
前記要求されたサイズに基づいて前記ＢＡビットマップフィールドの前記サイズを決定することと
を備える、［Ｃ１］に記載の方法。
［Ｃ２１］
前記要求されたサイズが、受信された前記フレームのデータレートに基づく、［Ｃ２０］に記載の方法。
［Ｃ２２］
ブロック確認応答（ＢＡ）ビットマップフィールドを備えるＢＡフレームを生成することと、
前記ＢＡビットマップフィールドのサイズを決定することと、
前記ＢＡビットマップフィールドの前記決定されたサイズの指示を挿入することと
を行うように構成されたプロセッサ
を備える、ワイヤレス通信のための装置。
［Ｃ２３］
前記指示が前記ＢＡフレームのフィールド中の値を備える、［Ｃ２２］に記載の装置。
［Ｃ２４］
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、ここにおいて、前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、［Ｃ２２］に記載の装置。
［Ｃ２５］
前記ＢＡフレームがＢＡ情報フィールドを備え、ここにおいて、前記ＢＡ情報フィールドがトラフィック識別子（ＴＩＤ）ごとフィールドを含み、ここにおいて、前記指示が前記ＴＩＤごとフィールド中の値を備える、［Ｃ２２］に記載の装置。
［Ｃ２６］
前記ＢＡフレームがＢＡ制御フィールドを備え、ここにおいて、前記指示が前記ＢＡ制御フィールド中の値である、［Ｃ２２］に記載の装置。
［Ｃ２７］
前記ＢＡ制御フィールドが予約済みフィールドを備え、ここにおいて、前記指示が前記予約済みフィールド中の値である、［Ｃ２６］に記載の装置。
［Ｃ２８］
前記ＢＡフレームが持続時間／識別子（ＩＤ）フィールドを備え、ここにおいて、前記指示が前記持続時間／ＩＤフィールド中の値を備える、［Ｃ２２］に記載の装置。
［Ｃ２９］
前記ＢＡフレームが２つまたはそれ以上のＢＡ情報フィールドを備え、前記２つまたはそれ以上のＢＡ情報フィールドが各々ＢＡビットマップフィールドを含み、ここにおいて、前記ＢＡビットマップフィールドの前記サイズを決定することが、前記２つまたはそれ以上のＢＡ情報フィールドの各々中の前記ＢＡビットマップフィールドの各々のためのサイズを決定することを備える、［Ｃ２２］に記載の装置。
［Ｃ３０］
前記２つまたはそれ以上のＢＡ情報フィールドの各々がトラフィック識別子（ＴＩＤ）値フィールドを備え、前記トラフィック識別子（ＴＩＤ）値フィールドが前記２つまたはそれ以上のＢＡ情報フィールドの各々のために同じＴＩＤ値を示す、［Ｃ２９］に記載の装置。
［Ｃ３１］
前記２つまたはそれ以上のＢＡ情報フィールドの各々が開始シーケンス番号フィールドを備え、ここにおいて、前記ＢＡビットマップフィールドの前記サイズを決定することが、前記２つまたはそれ以上のＢＡ情報フィールドの各々中の前記開始シーケンス番号フィールドに基づく、［Ｃ２９］に記載の装置。
［Ｃ３２］
前記２つまたはそれ以上のＢＡ情報フィールドが、
第１の開始シーケンス番号をもつ第１のＢＡ情報フィールドと、
第２の開始シーケンス番号をもつ第２のＢＡ情報フィールドと
を備え、ここにおいて、前記ＢＡビットマップフィールドの前記サイズを決定することが、前記第１の開始シーケンス番号と前記第２の開始シーケンス番号との間のビットの値を定義することを備える、
［Ｃ３１］に記載の装置。
［Ｃ３３］
前記ＢＡビットマップフィールドのビットが、ある数の、受信されたメッセージに確認応答する、［Ｃ２２］に記載の装置。
［Ｃ３４］
前記プロセッサが、受信されたメッセージの前記数に基づいて、前記ＢＡビットマップフィールドの前記サイズを決定する、［Ｃ３３］に記載の装置。
［Ｃ３５］
前記プロセッサが、前記ＢＡフレームのフィールド中に、受信されたメッセージの前記数の指示を挿入するようにさらに構成された、［Ｃ３３］に記載の装置。
［Ｃ３６］
前記ＢＡフレームが、ＢＡ確認応答（ＡＣＫ）ポリシーフィールドと、マルチトラフィック識別子（ＴＩＤ）フィールドと、圧縮ビットマップフィールドと、グループキャスト再試行（ＧＣＲ）フィールドと、ＢＡ制御フィールドのビットとを備え、ここにおいて、前記数の前記指示が、前記マルチトラフィック識別子（ＴＩＤ）フィールド中の値と、前記圧縮ビットマップフィールド中の値と、前記ＧＣＲフィールド中の値と、前記ＢＡ制御フィールドの前記ビット中の値との組合せを備える、［Ｃ３５］に記載の装置。
［Ｃ３７］
前記プロセッサが、データフレームの送信機と前記データフレームの受信機との間のネゴシエーションに基づいて、前記ＢＡビットマップフィールドの前記サイズを決定する、［Ｃ２２］に記載の装置。
［Ｃ３８］
前記ネゴシエーションが、アクセスポイントと局との間のアドブロック確認応答（ＡＤＤＢＡ）ネゴシエーションを備える、［Ｃ３７］に記載の装置。
［Ｃ３９］
前記プロセッサは、アグリゲート媒体アクセス制御（ＭＡＣ）データユニット（Ａ−ＭＰＤＵ）デリミタフィールドを備える受信されたフレームに基づいて、前記ＢＡビットマップフィールドの前記サイズを決定し、ここにおいて、前記Ａ−ＭＰＤＵデリミタフィールドが、前記ＢＡビットマップフィールドの要求されたサイズを示す、［Ｃ２２］に記載の装置。
［Ｃ４０］
前記プロセッサは、メディアアクセス制御プロトコルデータユニット（ＭＰＤＵ）省電力マルチポール（ＰＳＭＰ）確認応答（ＡＣＫ）ポリシーフィールドを備える受信されたフレームに基づいて、前記ＢＡビットマップフィールドの前記サイズを決定する、［Ｃ２２の記載の装置。
［Ｃ４１］
前記プロセッサは、媒体アクセス制御（ＭＡＣ）ヘッダ部分を備える受信されたフレームに基づいて、前記ＢＡビットマップフィールドの前記サイズを決定し、ここにおいて、前記ＭＡＣヘッダ部分が前記ＢＡビットマップフィールドの要求されたサイズを示すフィールドを備える、［Ｃ２２］に記載の装置。
［Ｃ４２］
前記要求されたサイズが、前記受信されたフレームのデータレートに基づく、［Ｃ４１］に記載の装置。
［Ｃ４３］
実行されたとき、装置に方法を実施させるコードを備える非一時的コンピュータ可読媒体であって、前記方法が、
装置によって、ブロック確認応答（ＢＡ）ビットマップフィールドを備えるＢＡフレームを生成することと、
前記ＢＡビットマップフィールドのサイズを決定することと、
前記ＢＡビットマップフィールドの前記決定されたサイズの指示を挿入することと
を備える、非一時的コンピュータ可読媒体。
［Ｃ４４］
ワイヤレス通信のための装置であって、
装置によって、ブロック確認応答（ＢＡ）ビットマップフィールドを備えるＢＡフレームを生成するための手段と、
前記ＢＡビットマップフィールドのサイズを決定するための手段と、
前記ＢＡビットマップフィールドの前記決定されたサイズの指示を挿入するための手段と
を備える、装置。